(57)【要約】【課題】夜間等の暗時における看板、表札、標識等の表示部の視認性を向上させることが可能な蓄光シートの提供。【解決手段】［１］蓄光層１１の上に遮光層１４が積層され、前記蓄光層及び前記遮光層を貫く光透過孔１５が複数設けられている蓄光シート１。［２］前記蓄光層と前記遮光層の間に反射層が積層され、前記蓄光層、前記反射層及び前記遮光層を貫く光透過孔が複数設けられている前記［１］に記載の蓄光シート。［３］前記遮光層の表面の単位面積における前記複数の光透過孔の合計の占有面積の比率が１０〜９０％である前記［１］又は［２］に記載の蓄光シート。［４］前記蓄光層の下に接着層１３が配置されている前記［１］〜［３］の何れか一項に記載の蓄光シート。［５］前記遮光層の上に保護フィルム１２が配置されている前記［１］〜［４］の何れか一項に記載の蓄光シート。【選択図】図２
2014153662.tif 000002
【特許請求の範囲】
【請求項１】
蓄光層の上に遮光層が積層され、
前記蓄光層及び前記遮光層を貫く光透過孔が複数設けられていることを特徴とする蓄光シート。
【請求項２】
前記蓄光層と前記遮光層の間に反射層が積層され、
前記蓄光層、前記反射層及び前記遮光層を貫く光透過孔が複数設けられていることを特徴とする請求項１に記載の蓄光シート。
【請求項３】
前記遮光層の表面の単位面積における前記複数の光透過孔の合計の占有面積の比率が１０〜９０％であることを特徴とする請求項１又は２に記載の蓄光シート。
【請求項４】
前記蓄光層の下に接着層が配置されていることを特徴とする請求項１〜３の何れか一項に記載の蓄光シート。
【請求項５】
前記遮光層の上に保護フィルムが配置されていることを特徴とする請求項１〜４の何れか一項に記載の蓄光シート。
【発明の詳細な説明】
【技術分野】
【０００１】
本発明は、看板や標識等の表示部に取り付け可能な蓄光シートに関する。
【背景技術】
【０００２】
従来、基板に蓄光物質を塗布してなる蓄光板の上面に、光を吸収する有色インクをドット状又は格子状に印刷することにより、有色インクの色と蓄光物質の発光色とのコントラストで、新しい色を表現可能な蓄光板が提案されている（特許文献１）。また、夜光顔料が含まれた粘着剤層を有する夜光性粘着フィルムも提案されている（特許文献２）。
【０００３】
しかしながら、特許文献１の考案は、既設の看板、表札、標識等の夜間における視認性を向上させる技術にはなりえない。また、特許文献２の夜光性粘着フィルムは、既設の看板、表札、標識等の表示部に貼り付け可能であるが、当該フィルムの粘着剤層が発光するため、当該フィルムそれ自体の形状は認識し易いが、当該フィルムの下にある表示部の表示内容の視認性は不充分である。このため、表示部の視認性をより向上させることが可能な蓄光シートが求められている。
【先行技術文献】
【特許文献】
【０００４】
【特許文献１】実用新案登録第３１１６８０６号公報
【特許文献２】特開平１１−４３６５１号公報
【発明の概要】
【発明が解決しようとする課題】
【０００５】
本発明は、上記事情に鑑みてなされたものであり、夜間等の暗時における看板、表札、標識等の表示部の視認性を向上させることが可能な蓄光シートの提供を課題とする。
【課題を解決するための手段】
【０００６】
［１］  蓄光層の上に遮光層が積層され、前記蓄光層及び前記遮光層を貫く光透過孔が複数設けられていることを特徴とする蓄光シート。
［２］  前記蓄光層と前記遮光層の間に反射層が積層され、前記蓄光層、前記反射層及び前記遮光層を貫く光透過孔が複数設けられていることを特徴とする前記［１］に記載の蓄光シート。
［３］  前記遮光層の表面の単位面積における前記複数の光透過孔の合計の占有面積の比率が１０〜９０％であることを特徴とする前記［１］又は［２］に記載の蓄光シート。
［４］  前記蓄光層の下に接着層が配置されていることを特徴とする前記［１］〜［３］の何れか一項に記載の蓄光シート。
［５］  前記遮光層の上に保護フィルムが配置されていることを特徴とする前記［１］〜［４］の何れか一項に記載の蓄光シート。
【発明の効果】
【０００７】
本発明にかかる蓄光シートによれば、夜間等の暗時における看板、表札、標識等の表示部の視認性を向上させることができる。更に、本発明にかかる蓄光シートは、新設する看板等に設置可能であるのみならず、既設の看板等にも設置可能である。新設・既設を問わず、その表示部の暗時における視認性を向上させることができる。
【図面の簡単な説明】
【０００８】
【図１】比較例の蓄光シートの積層構造と、その蓄光層から放射された光の進路を示す断面模式図である。
【図２】本発明の第一実施形態の蓄光シートの積層構造と、その蓄光層から放射された光の進路を示す断面模式図である。
【図３】本発明の第一実施形態の蓄光シートにおける開口率と表示面光度との関係を示すグラフである。
【図４】本発明の第二実施形態の蓄光シートの積層構造と、外部又は表示部からの光の進路を示す断面模式図である。
【発明を実施するための形態】
【０００９】
本発明者らが検討したところ、図１に示す比較例の蓄光シート１００が貼り付けられた、黒色インク９１及び白色基板９２からなる表示部９３の暗時におけるコントラスト比（明るい背景の光度／黒色インクで表現された表示内容の光度）は約１．９であった。このコントラスト比は充分な視認性であるとは言い難い。比較例の蓄光シート１００のコントラスト比がこのように低い理由を以下に説明する。
【００１０】
蓄光シート１００は、接着層１０３、蓄光層１０１及び保護フィルム１０２がこの順で積層された積層シートである。既設の看板等の表示部に接着層１０３を介して蓄光シート１００を貼付することができる。図１の例においては、表示部９３は白色基板９２の表面９２ａに黒色インク９１が印刷された構成を有する。
【００１１】
蓄光シート１００の蓄光層１０１は、昼間等の明るい環境（明時）において光エネルギーを蓄え、夜間等の暗時に自発発光する。蓄光層１０１から放射された光の一部（光Ｌ１）は、そのまま観察者側（蓄光層の上面側）に進み、前記光の残部は表示面９３側に進む。蓄光層１０１から放射された光の残部のうち、光Ｌ２は黒色インク９１に照射され、その殆どが黒色インク９１に吸収されるが、黒色インク９１に吸収されずに反射した光Ｌ４が観察者側に進む。また、蓄光層１０１から放射された光の残部のうち、光Ｌ３は白色基板の表面９２ａに照射され、その殆どは表面９２ａで吸収されずに反射される。表面９２ａに反射された光Ｌ５は観察者側に進む。
【００１２】
観察者が暗時に表示部９３を見ると、白色基板の表面９２ａから届く光を背景として、黒色インク９１から届く光が相対的に暗いことを認識し、明るい背景中に暗い黒色インクによって表現された表示内容を読み取る。ここで、蓄光層１０１からの自発発光Ｌ１、Ｌ２及びＬ３の光度がそれぞれ同一の「１」であると見なし、黒色インク９１からの反射光Ｌ４の光度が「０．０１」であり、白色基板の表面９２ａからの反射光Ｌ５の光度が「０．９」であると仮定する。この場合、観察者は、光度が１．９（＝Ｌ１＋Ｌ５）の明るい背景に、光度が１．０１（＝Ｌ１＋Ｌ４）の表示内容を読み取るので、そのコントラスト比は約１．９（≒１．９／１．０１）である。
【００１３】
このように、比較例の蓄光シート１００のコントラスト比が低い理由は、蓄光層１０１から放射された光Ｌ１が直接に観察者側に到達してしまうため、表示部９３の全面が明るく見えるからである。本発明者らは上記の検討に基づいて、本発明の蓄光シートを完成するに至った。
【００１４】
以下、好適な実施の形態に基づき、図面を参照して本発明を説明するが、本発明はかかる実施形態に限定されない。
【００１５】
《第一実施形態》
本発明の第一実施形態の蓄光シート１は、図２に示すように、蓄光層１１の上に遮光層１４が積層された積層構造を有し、更に蓄光層１１及び遮光層１４を貫く光透過孔１５が複数設けられている。蓄光層１１の上に遮光層１４が積層されているため、蓄光層１１から放射される光が直接に観察者側（蓄光シート１の上面側）へ進むことがない。つまり、比較例の図１で示した光Ｌ１は遮光層１４によって遮られている。
【００１６】
第一実施形態の蓄光シート１を観察者が暗時に見ると、白色基板の表面９２ａで反射した光Ｌ５が光透過孔１５を通過して届く光を背景として、黒色インク９１で反射した光Ｌ４が光透過孔１５を通過して届く光が相対的に暗いことを認識し、明るい背景中に暗い黒色インクによって表現された表示内容を読み取ることができる。ここで、蓄光層１１からの自発発光Ｌ２及びＬ３の光度がそれぞれ同一の「１」であると見なし、黒色インク９１からの反射光Ｌ４の光度が「０．０１」であり、白色基板の表面９２ａからの反射光Ｌ５の光度が「０．９」であると仮定する。この場合、観察者は、光度が０．９（＝Ｌ５）の明るい背景に、光度が０．０１（＝Ｌ４）の表示内容を読み取るので、そのコントラスト比は９０（＝０．９／０．０１）である。
【００１７】
このように第一実施形態のコントラスト比は比較例よりも格段に向上しているため、その表示部の視認性も格段に向上している。
【００１８】
第一実施形態の蓄光シート１には、蓄光層１１の下に接着層１３が配置されている。接着層１３を介して、蓄光シート１の本体である蓄光層１１及び遮光層１４の積層構造を表示部９３の表面に貼付することができる。図２に示す例では光透過孔１５が接着層１３を貫通していないが、特にこの形態に限定されることはなく、光透過孔１５が接着層１３を貫通していてもよい。
【００１９】
第一実施形態の蓄光シート１には、蓄光層１１の下に接着層１３が配置されているが、特にこの構成に限定されることはなく、蓄光シート１は接着層１３を備えていなくても構わない。この場合、蓄光シート１を表示部９３に固定する方法は特に制限されず、例えば蓄光シート１の外枠（外縁）を粘着テープ等を用いて表示部９３の表面９２ａに貼付することにより固定する方法が挙げられる。
【００２０】
第一実施形態の蓄光シート１には、蓄光層１１の上に保護フィルム１２が配置されている。保護フィルム１２を備えることにより、埃、砂、雨水等が光透過孔１５の中に入り込むことを防止し、蓄光シート１の耐久性を向上させることができる。更に、複数の光透過孔１５が設けられた蓄光シート１の本体の構造的強度を向上させることができる。なお、特に耐久性や構造的強度が要求されない環境で使用する場合には、光透過孔１５が保護フィルム１２を貫通していてもよいし、或いは保護フィルム１２が備えられていなくてもよい。
【００２１】
図２から理解されるように、接着層１３は光Ｌ２，Ｌ３，Ｌ４，Ｌ５を容易に透過させることが可能な材料で構成されることが好ましい。このような材料としては例えばアクリル系、ポリエステル系、エポキシ系、シリコーン系の粘接着剤等が挙げられる。これらの材料からなる接着層１３の厚みは特に制限されず、例えば１μｍ〜１０００μｍの厚みが挙げられる。また、保護フィルム１２は光Ｌ４，Ｌ５を容易に透過させることが可能な材料で構成されることが好ましい。このような材料としては例えばポリエステル、ポリカーボネート、ポリ塩化ビニル、（メタ）アクリル樹脂等が挙げられる。これらの材料からなる保護フィルム１２の厚みは特に制限されず、例えば０．１μｍ〜５００μｍの厚みが挙げられる。
【００２２】
蓄光シート１を上方（上面側）から見て、遮光層１４の表面の単位面積における前記複数の光透過孔１５の合計の占有面積の比率は特に制限されないが、１０〜９０％が好ましく、２０〜８０％がより好ましく、３０〜７０％が更に好ましく、４０〜６０％が特に好ましい。これらの範囲の比率であると、遮光層１４を透過して観察者に届く光度と、光源として機能する蓄光層１１からの自発発光の光度とのバランスを良好に保つことができる。
【００２３】
前記比率が小さ過ぎると表示部９３から反射された光Ｌ４，Ｌ５の大半が遮光層１４で遮られて、光透過孔１５を通過する程度が少なくなり、観察者に届く光度が少なくなってしまう。一方、前記比率が大き過ぎると、光透過孔１５は遮光層１４及び蓄光層１１の両方を貫通しているため、蓄光層１１の面積が少なくなり、表示部９３に放射される自発発光の光度が減少してしまう結果、観察者に届く光度が少なくなってしまう。このように前記バランスを考慮すると、前記範囲の比率が好ましい。
なお、前記比率は遮光層１４の単位表面積における複数の光透過孔１５の合計の開口面積が占める比率（以下、開口率ということがある。）と同義である。
【００２４】
図３に、蓄光シート１の開口率（単位：％）と表示面光度（任意単位）の関係を表したプロット図を示す。縦軸は対数目盛で表示されており、例えば「１．Ｅ−０１」は１×１０−１を表す。「◆」のプロットは、表示部９３のうち黒色インク９１からの反射光Ｌ４の光度の変化を示す。「□」のプロットは、表示部９３のうち白色基板の表面９２ａからの反射光Ｌ５の光度の変化を示す。これらのプロットから、表示面光度（観察者に届く光度）を高めるためには前記範囲の比率が好ましいことが理解される。
【００２５】
図３の各プロットは、次の計算式に基づいて算出した。
「◆」のプロット値＝｛開口率（％）／１００｝×０．０１×［｛１００−開口率（％）｝／１００］
「□」のプロット値＝｛開口率（％）／１００｝×０．９×［｛１００−開口率（％）｝／１００］
【００２６】
上記計算式において、開口率０％である場合の黒色インク９１の単位面積から反射されて遮光層１４へ向かう光Ｌ４の光度が「０．０１」であり、開口率０％である場合の白色基板の表面９２ａの単位面積から反射されて遮光層１４へ向かう光Ｌ５の光度が「０．９」であると仮定している。
【００２７】
上記計算式から導かれるように、蓄光シート１の各プロットの前記コントラスト比（＝「◆」のプロット値／「□」のプロット値）は全て９０である。
【００２８】
参考のために、図３に、比較例の蓄光シート１００の表示面光度をプロットする。蓄光シート１００は遮光層を有さないため、開口率は１００％である。したがって、前述したように、黒色インク９１の単位面積からの表示面光度は１．０１（＝Ｌ１＋Ｌ４）であり、白色基板の表面９２ａの単位面積からの表示面光度は１．９（＝Ｌ１＋Ｌ５）である。
【００２９】
遮光層１４及び蓄光層１１の表面における光透過孔１５の開口部（開口）の形状は特に制限されず、略円、略楕円、矩形、正方形、その他の多角形等、どのような形状であってもよい。
【００３０】
以上では、本発明にかかる蓄光シートを取り付ける表示部９３が黒色インク９１及び白色基板９２からなる場合を説明したが、本発明の蓄光シートを取り付ける表示部の構成はこれに限られない。黒色インク９１の代わりに他の色のインクを用いてもよいし、白色基板９２の代わりに他の色の表面を有する基板を用いてもよい。
【００３１】
蓄光層１１は、昼間等の明るい環境（明時）においてエネルギーを蓄積し、夜間等の暗時に自発発光する機能を有する。この機能を有するのであれば、蓄光層１１を構成する材料は特に限定されない。
【００３２】
蓄光層１１としては、例えば、従来公知の夜光顔料（蛍光顔料、蓄光顔料）等を練りこんだ透明樹脂フィルムが挙げられる。
【００３３】
前記夜光顔料としては、例えば、ジスプロシウム又はユウロピウムで賦活されたアルミン酸ストロンチウムからなる平均粒径４〜５０μｍの顔料が挙げられる。透明樹脂フィルムの全質量に対する夜光顔料の含有量としては、例えば、５〜９５質量％が挙げられる。
【００３４】
前記透明樹脂フィルムを構成する樹脂としては、例えば、（メタ）アクリル樹脂、ポリエステル、ポリカーボネート、ポリ塩化ビニル等が挙げられる。
【００３５】
第一実施形態の遮光層１４は、蓄光層１１から放射された自発発光を遮蔽する機能を有する。この機能を有するのであれば、遮光層１４を構成する材料は特に制限されない。例えば、蓄光層１１側から来る光を吸収可能な材料、又は蓄光層１１側から来る光を反射可能な材料を適用することができる。
【００３６】
前記光を吸収可能な材料としては、カーボンブラック、グラファイト等が挙げられる。これらの材料からなる遮光層１４の厚みは特に制限されず、例えば０．１μｍ〜５００μｍの厚みが挙げられる。
【００３７】
前記光を反射可能な材料としては、アルミニウム箔、ステンレスフィルム等が挙げられる。これらの材料からなる遮光層１４の厚みは特に制限されず、例えば０．１μｍ〜５００μｍの厚みが挙げられる。
【００３８】
前記光を反射可能な材料を使用して形成された遮光層１４は、前述の光Ｌ４，Ｌ５を反射することにより、蓄光層１１に当該光を蓄光させるか、又は蓄光層１１を透過して再び表示部９３を照らすことができる。つまり、光Ｌ４，Ｌ５を再利用することができるため、前記光を吸収可能な材料を使用した遮光層１４ａ（１４）に比べて、前記光を反射可能な材料を使用した遮光層１４ｂ（１４）（以下、遮光層１４ｂを反射層１４ｂと読み換えることがある。）よりも、自発発光の利用効率が高くなり、表示部９３の暗時における視認性を一層向上させることができる。一方、明時においては、蓄光シート１の外部から差し込む光が反射層１４ｂ（遮光層１４ｂ）で反射されると、当該蓄光シートを取り付けた表示部９３が、当該反射光によってギラギラする可能性がある。このギラギラした光の発生を防ぐ場合は、以下に説明する本発明の第二実施形態の蓄光シート２の構成が好適である。
【００３９】
《第二実施形態》
本発明の第二実施形態の蓄光シート２は、図４に示すように、蓄光層１１と遮光層１４ａの間に反射層１４ｂが積層され、その蓄光層１１、反射層１４ｂ及び遮光層１４ａを貫く光透過孔１５が複数設けられている。前述したように、反射層１４ｂは遮光層としての機能も有するため、反射層１４ｂと遮光層１４ａを合わせて遮光層１４と呼ぶこともできる。その他の構成は第一実施形態の蓄光シート１と同様であるので、同一の符号を付して、その説明を省略する。
【００４０】
第二実施形態によれば、蓄光シート２の外部から差し込む光Ｌ６は遮光層１４ａを構成する前記光を吸収する材料によって吸収されて、観察者側へ反射することが抑制される。このため、明時における表示部がギラギラしないので、その視認性が低下することは殆ど無い。一方、暗時において、表示部から反射された光Ｌ７は、前述した様に、光透過孔１５を通過して観察者側へ向かうか、或いは、図４に示す光Ｌ８のように、反射層１４ｂに反射されて蓄光層１１側に向かう。反射層１４ｂに反射された光Ｌ８は、蓄光層１１に吸収されるか又は表示部（接着層１３）へ向かうので、光Ｌ８を効率的に再利用して、表示部の視認性を一層向上させることができる。
【実施例】
【００４１】
次に、実施例により本発明をさらに詳細に説明するが、本発明はこれらの例によって限定されるものではない。
【００４２】
［実施例１］
反射層１４ｂとしてアルミニウム箔を用い、このアルミニウム箔の上面にカーボンブラックを塗布して遮光層１４ａを形成した。また、当該アルミニウム箔の下面に蓄光材としてＥｕ、Ｄｙで賦活されたアルミン酸ストロンチウムを含有する蓄光性塗料を塗布して蓄光層１１を形成した。この３層構造の積層体をレーザー加工することによって複数の光透過孔１５を貫通させた。前記開口率は約５０％であった。得られた蓄光シートの上面に透明樹脂からなる保護フィルム１２を配置し、当該蓄光シートの下面に接着性の透明樹脂からなる接着層１３を配置し、合計５層からなる積層体をラミネート加工することにより一体化させて、第二実施形態の蓄光シート２を作製した。
【００４３】
作製した蓄光シート２を壁面の掲示物に貼り付けて、明るい室内で１時間蓄光させた。この際、蓄光シート２を貼り付けた掲示物の表示部は、遮光層１４ａの影響により少し暗く見えたが、表示内容は充分に読み取れた。その後、室内を暗闇にして表示部を観察したところ、表示内容を充分に読み取ることができた。比較例の蓄光シート１００を当該表示部に貼り付けた場合に比べて、本発明にかかる蓄光シート２を貼り付けた表示部の暗時における視認性は格段に向上していた。
【００４４】
以上で説明した各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【産業上の利用可能性】
【００４５】
本発明に係る蓄光シートは、環境・エネルギーの分野において広く利用可能である。
【符号の説明】
【００４６】
１，２…蓄光シート、１１…蓄光層、１２…保護フィルム、１３…接着層、１４…遮光層、１４ａ…光を吸収する遮光層、１４ｂ…光を反射する遮光層（反射層）、１５…光透過孔、９１…黒色インク、９２…白色基板、９２ａ…白色基板の表面、９３…表示部、Ｌ１〜Ｌ８…光、１００…従来の蓄光シート、１０１…蓄光層、１０２…保護フィルム、１０３…接着層
【図１】
2014153662.tif 000003
【図２】
2014153662.tif 000004
【図３】
2014153662.tif 000005
【図４】
2014153662.tif 000006